(57)【要約】【課題】コンテンツと共に配信されたＷｅｂページを閲覧する場合に、視聴者が操作することなく、Ｗｅｂページを重要性が高い部分を中心に表示する機能を有する視聴システムを提供する。【解決手段】Ｗｅｂページデータに用いられる各種タグに対応して、あらかじめ表示部分の決定と、それらの表示における優先順位を決めておき、コンテンツデータと共に配信された広告のＷｅｂページデータを再生する場合、表示部分決定部２０５においてＷｅｂページデータの各タグの種類に基づいて、表示すべき部分とその表示の優先順位と表示の時間とスクロール時間を決定し、描画制御部２０６において、それら決定された内容をＷｅｂ操作情報として、レンダリング部２０８を制御し、自動的なスクロール動作を含めて、表示部分の描画を実行させる。【選択図】図３
2008225783.tif 000002
【特許請求の範囲】
【請求項１】
コンテンツデータを一意に示す情報とＷｅｂページデータを一意に示す情報の再生順序を記載したプレイリストを送信する再生情報配信装置と、
前記コンテンツデータを配信するコンテンツ配信装置と、
前記Ｗｅｂページデータを配信するＷｅｂページ配信装置と、
前記再生情報配信装置、前記コンテンツ配信装置および前記Ｗｅｂページ配信装置から前記プレイリスト、前記コンテンツデータおよび前記Ｗｅｂページデータをそれぞれ受信し、前記コンテンツデータ及び前記Ｗｅｂページデータを視聴するための視聴端末と、
前記再生情報配信装置、コンテンツ配信装置、Ｗｅｂページ配信装置および前記視聴端末を接続する通信網と、を備え、
前記視聴端末が、送信された前記プレイリストに記された再生順序に応じて前記コンテンツデータおよび前記Ｗｅｂページデータを再生する場合、
前記コンテンツデータの再生を行う際には、前記コンテンツ配信装置から、前記コンテンツデータを一意に示す情報が示すコンテンツデータを、前記通信網を介して取得して再生し、
前記Ｗｅｂページデータの再生を行う際には、前記Ｗｅｂページ配信装置から、前記Ｗｅｂページデータを一意に示す情報が示すＷｅｂページデータを、前記通信網を介して取得し、前記Ｗｅｂページデータについて、あらかじめ決められた基準に基づき、表示すべき複数個の表示部分を決定するとともに、それらの表示の順番の優先順位を決定し、表示させる、コンテンツ再生システム。
【請求項２】
コンテンツデータを一意に示す情報とＷｅｂページデータを一意に示す情報の再生順序を記載したプレイリストを送信する再生情報配信装置から前記プレイリストを受信し、前記コンテンツデータを配信するコンテンツ配信装置から前記コンテンツデータを受信し、前記Ｗｅｂページデータを配信するＷｅｂページ配信装置から前記Ｗｅｂページデータを受信する視聴端末であって、
送信された前記プレイリストに記された再生順序に応じて前記コンテンツデータおよび前記Ｗｅｂページデータを再生する場合、
前記コンテンツデータの再生を行う際には、前記コンテンツ配信装置から、前記コンテンツデータを一意に示す情報が示すコンテンツデータを、前記通信網を介して取得して再生し、
前記Ｗｅｂページデータの再生を行う際には、前記Ｗｅｂページ配信装置から、前記Ｗｅｂページデータを一意に示す情報が示すＷｅｂページデータを、前記通信網を介して取得し、前記Ｗｅｂページデータについて、あらかじめ決められた基準に基づき、表示すべき複数個の表示部分を決定するとともに、それらの表示の順番の優先順位を決定し、表示させる、視聴端末。
【請求項３】
前記Ｗｅｂページデータに使用されているタグの種類を利用した基準に基づき、前記表示部分を決定する、請求項２記載の視聴端末。
【請求項４】
前記タグの種類により前記表示部分を決定する場合、前記タグの種類を利用して候補として選択された各表示部分に、前記タグの種類を利用して重要度を割り振り、前記プレイリストに記述された前記Ｗｅｂページを再生する時間の長さの限度内で、重要度のより高い候補としての表示部分を優先的に前記表示部分として決定する、請求項３記載の視聴端末。
【請求項５】
再生される前記コンテンツデータの内容を利用した基準に基づき、前記表示部分を決定する、請求項２記載の視聴端末。
【請求項６】
あらかじめ格納されている視聴者のプロファイルを利用した基準、または前記視聴端末で過去に再生された前記コンテンツデータの履歴を利用した基準に基づき、前記表示部分を決定する、請求項２記載の視聴端末。
【請求項７】
前記Ｗｅｂページデータにおける座標位置を利用した基準に基づき、前記表示部分を決定する、請求項２記載の視聴端末。
【請求項８】
前記Ｗｅｂページに使用されているタグの種類を利用した基準に基づき、前記表示の順番の優先順位を決定する、請求項２記載の視聴端末。
【請求項９】
決定される複数個の表示部分の、前記Ｗｅｂページデータにおける座標位置を利用した基準に基づき、前記表示の順番の優先順位を決定する、請求項２記載の視聴端末。
【請求項１０】
前記複数個の表示部分の表示位置を静止させた状態での表示時間は、前記Ｗｅｂページデータに使用されているタグの種類を利用した基準に基づき、それぞれ決定される、請求項３記載の視聴端末。 
【請求項１１】
前記コンテンツデータを取得しデコードを行うデコーダ部と、
前記Ｗｅｂページデータを取得するＷｅｂ取得部と、
前記プレイリストを取得してそこに記載された前記再生順序に応じて、前記デコーダ部および前記Ｗｅｂ取得部を制御する再生制御部と、
前記Ｗｅｂ取得部から得た前記Ｗｅｂページデータについて、前記あらかじめ決められた基準に基づき解析を行い、前記表示部分と前記優先順位とを決定する表示部分決定部と、
前記表示部分決定部で決定された情報に基づき、Ｗｅｂ操作情報を作成する描画制御部と、
前記Ｗｅｂ取得部から得た前記Ｗｅｂページデータに対して、前記描画制御部から得た前記Ｗｅｂ操作情報に従ってレンダリングを行うレンダリング部と、
前記デコーダ部から得たデコードされたコンテンツデータおよび前記レンダリング部から得たレンダリングされた表示部分のデータを、前記再生制御部からの制御に従って切り替える切り替え部と、を備えた、
請求項２記載の視聴端末。
【請求項１２】
前記Ｗｅｂページデータは広告である、請求項２記載の視聴端末。
【請求項１３】
Ｗｅｂページデータを受信し表示を行う際、前記Ｗｅｂページデータに使用されているタグの種類を利用して、表示部分を選択的に決定し、決定した前記表示部分を表示させる、Ｗｅｂページ表示方法。
【請求項１４】
前記表示部分は複数個存在し、それら複数個の表示部分を決定する際、前記タグの種類を利用して、表示の優先順位も決定する、請求項１３記載のＷｅｂページ表示方法。
【請求項１５】
前記請求項１１記載の視聴端末の、前記デコーダ部および前記Ｗｅｂ取得部を制御する再生制御部と、前記表示部分を決定する割り当て部と、前記Ｗｅｂ操作情報を作成する描画制御部と、前記レンダリング部としてコンピュータを機能させるためのプログラム。
【請求項１６】
請求項１５記載のプログラムを記録した記録媒体であって、コンピュータにより処理可能な記録媒体。
【発明の詳細な説明】
【技術分野】
【０００１】
本発明は、映画などのコンテンツデータを配信する際、所定のＷｅｂページデータを例えば広告として、付加して再生表示させるシステムなどに関するものである。
【背景技術】
【０００２】
近年、映画などのコンテンツに広告を付加する、いわゆる広告収入モデルを導入した無料コンテンツデータ配信サービスが普及してきている。これらのサービスでは、サービス提供者は、視聴者に広告付きのコンテンツデータを無料で提供する代わりに、その広告のスポンサーから収入を得ることで成り立っている。
【０００３】
従来の広告付き無料コンテンツデータとしては、サービス提供者がコンテンツデータとＷｅｂページデータのＵＲＬ情報とを組み込んだ形で視聴者へ配信し、視聴者の受信端末側でコンテンツデータを再生すると共に、そのＵＲＬ情報に基づいてネットワーク上のＷｅｂページデータを取得して、モニタ画面上に設けられた左右２つの画面領域でそれぞれ再生する方法が知られている（たとえば特許文献１参照）。ここでは左画面領域にコンテンツ、右画面領域にＷｅｂページが表示されている。
【特許文献１】特開２００２−１６３１４１号公報
【発明の開示】
【発明が解決しようとする課題】
【０００４】
しかしながら、上記従来の技術でＷｅｂページデータを取得して再生する場合、パソコン向けに作成された一般的なＷｅｂページデータを広告として、ＴＶなどの視聴端末で表示すると、右の画面領域のサイズの関係上無理があり、そのためＷｅｂページデータは予め指定されたごく一部の部分しか表示することができない課題がある。例えば大きなサイズのＷｅｂページデータの場合、そのページの上方の左半分領域のみしか表示されないようなことが起こる。図１１はＷｅｂページデータのブラウザ表示図の一例であって、従来の装置が、その上方左隅を原点として上下一定幅の領域を表示するとあらかじめ設計しているとすると、Ｗｅｂページデータの上方の左半分領域のみしか表示できないことになる。
【０００５】
他方、Ｗｅｂページデータを視聴者が自らスクロール操作をすることで、Ｗｅｂページデータの重要性の高い項目や興味のある項目について閲覧するようにすることが出来るが、パソコンの操作者と異なり、ＴＶ端末の視聴者などは、放送を受動的に視聴する傾向が強く、そのためＴＶ端末の視聴者にとっては、スクロール操作のようなことは不慣れであるという課題がある。
【０００６】
本発明は、従来のこのような課題を考慮し、コンテンツデータとＷｅｂページデータとを適切に視聴できるコンテンツ再生システム、視聴端末などを提供することを目的とする。
【課題を解決するための手段】
【０００７】
第１の本発明は、コンテンツデータを一意に示す情報とＷｅｂページデータを一意に示す情報の再生順序を記載したプレイリストを送信する再生情報配信装置と、
コンテンツデータを配信するコンテンツ配信装置と、
Ｗｅｂページデータを配信するＷｅｂページ配信装置と、
前記再生情報配信装置、前記コンテンツ配信装置および前記Ｗｅｂページ配信装置から前記プレイリスト、前記コンテンツデータおよび前記Ｗｅｂページデータをそれぞれ受信し、前記コンテンツデータ及び前記Ｗｅｂページデータを視聴するための視聴端末と、
前記再生情報配信装置、コンテンツ配信装置、Ｗｅｂページ配信装置および前記視聴端末を接続する通信網と、を備え、
前記視聴端末が、送信された前記プレイリストに記された再生順序に応じて前記コンテンツおよび前記Ｗｅｂページデータを再生する場合、
前記コンテンツ再生を行う際には、前記コンテンツ配信装置から、前記コンテンツデータを一意に示す情報が示すコンテンツデータを、前記通信網を介して取得して再生し、
前記Ｗｅｂページデータ再生を行う際には、前記Ｗｅｂページ配信装置から、前記Ｗｅｂページデータを一意に示す情報が示すＷｅｂページデータを、前記通信網を介して取得し、前記Ｗｅｂページデータについて、あらかじめ決められた基準に基づき、表示すべき複数個の表示部分を決定するとともに、それらの表示の順番の優先順位を決定し、表示させる、コンテンツ再生システムである。
【０００８】
第２の本発明は、コンテンツデータを一意に示す情報とＷｅｂページデータを一意に示す情報の再生順序を記載したプレイリストを送信する再生情報配信装置から前記プレイリストを受信し、コンテンツデータを配信するコンテンツ配信装置から前記コンテンツデータを受信し、Ｗｅｂページデータを配信するＷｅｂページ配信装置から前記Ｗｅｂページデータを受信する視聴端末であって、
送信された前記プレイリストに記された再生順序に応じて前記コンテンツデータおよび前記Ｗｅｂページデータを再生する場合、
前記コンテンツデータの再生を行う際には、前記コンテンツ配信装置から、前記コンテンツデータを一意に示す情報が示すコンテンツデータを、前記通信網を介して取得して再生し、
前記Ｗｅｂページデータ再生を行う際には、前記Ｗｅｂページ配信装置から、前記Ｗｅｂページデータを一意に示す情報が示すＷｅｂページデータを、前記通信網を介して取得し、前記Ｗｅｂページデータについて、あらかじめ決められた基準に基づき、表示すべき複数個の表示部分を決定するとともに、それらの表示の順番の優先順位を決定し、表示させる、視聴端末である。
【０００９】
第３の本発明は、前記Ｗｅｂページデータに使用されているタグの種類を利用した基準に基づき、前記表示部分を決定する、第２の本発明の視聴端末である。
【００１０】
第４の本発明は、前記タグの種類により前記表示部分を決定する場合、前記タグの種類を利用して候補として選択された各表示部分に、前記タグの種類を利用して重要度を割り振り、前記プレイリストに記述された前記Ｗｅｂページデータを再生する時間の長さの限度内で、重要度のより高い候補としての表示部分を優先的に前記表示部分として決定する、第３の本発明の視聴端末である。
【００１１】
第５の本発明は、再生される前記コンテンツデータの内容を利用した基準に基づき、前記表示部分を決定する、第２の本発明の視聴端末である。
【００１２】
第６の本発明は、あらかじめ格納されている視聴者のプロファイルを利用した基準、または前記視聴端末で過去に再生された前記コンテンツデータの履歴を利用した基準に基づき、前記表示部分を決定する、第２の本発明の視聴端末である。
【００１３】
第７の本発明は、Ｗｅｂページデータにおける座標位置を利用した基準に基づき、前記表示部分を決定する、第２の本発明の視聴端末である。
【００１４】
第８の本発明は、前記Ｗｅｂページデータに使用されているタグの種類を利用した基準に基づき、前記表示の順番の優先順位を決定する、第２の本発明の視聴端末である。
【００１５】
第９の本発明は、決定される複数個の表示部分の、前記Ｗｅｂページデータにおける座標位置を利用した基準に基づき、前記表示の順番の優先順位を決定する、第２の本発明の視聴端末である。
【００１６】
第１０の本発明は、前記複数個の表示部分の表示位置を静止させた状態での表示時間は、前記Ｗｅｂページデータに使用されているタグの種類を利用した基準に基づき、それぞれ決定される、第３の本発明の視聴端末である。 
【００１７】
第１１の本発明は、前記コンテンツデータを取得しデコードを行うデコーダ部と、
前記Ｗｅｂページデータを取得するＷｅｂ取得部と、
前記プレイリストを取得してそこに記載された前記再生順序に応じて、前記デコーダ部および前記Ｗｅｂ取得部を制御する再生制御部と、
前記Ｗｅｂ取得部から得た前記Ｗｅｂページデータについて、前記あらかじめ決められた基準に基づき解析を行い、前記表示部分と前記優先順位とを決定する表示部分決定部と、
前記表示部分決定部で決定された情報に基づき、Ｗｅｂ操作情報を作成する描画制御部と、
前記Ｗｅｂ取得部から得た前記Ｗｅｂページデータに対して、前記描画制御部から得た前記Ｗｅｂ操作情報に従ってレンダリングを行うレンダリング部と、
前記デコーダ部から得たデコードされたコンテンツデータおよび前記レンダリング部から得たレンダリングされた表示部分のデータを、前記再生制御部からの制御に従って切り替える切り替え部と、を備えた、第２の本発明の視聴端末である。
【００１８】
第１２の本発明は、前記Ｗｅｂページデータは広告である、第２の本発明の視聴端末である。
【００１９】
第１３の本発明は、Ｗｅｂページデータを受信し表示を行う際、前記Ｗｅｂページデータに使用されているタグの種類を利用して、表示部分を選択的に決定し、決定した前記表示部分を表示させる、Ｗｅｂページ表示方法である。
【００２０】
第１４の本発明は、前記表示部分は複数個存在し、それら複数個の表示部分を決定する際、前記タグの種類を利用して、表示の優先順位も決定する、第１３の本発明のＷｅｂページ表示方法である。
【００２１】
第１５の本発明は、第１１の本発明にかかる視聴端末の、前記デコーダ部および前記Ｗｅｂ取得部を制御する再生制御部と、前記表示部分を決定する割り当て部と、前記Ｗｅｂ操作情報を作成する描画制御部と、前記レンダリング部としてコンピュータを機能させるためのプログラムである。
【００２２】
第１６の本発明は、第１５の本発明にかかるプログラムを記録した記録媒体であって、コンピュータにより処理可能な記録媒体である。
【発明の効果】
【００２３】
本発明のコンテンツ再生システム、視聴端末などによれば、コンテンツデータとＷｅｂページデータとを適切に視聴できる。
【発明を実施するための最良の形態】
【００２４】
以下に、本発明の実施の形態を図面を用いて説明する。
【００２５】
図１において、視聴端末１０１とコンテンツ配信装置１０２と再生情報配信装置１０３とＷｅｂページ配信装置１０４は、通信網１００を介して相互に通信を行うように構成されている。
【００２６】
視聴端末１０１には、外部のモニタ装置２１０への出力端子が備わっており、映画などのコンテンツデータを再生表示させることができ、また、通信網１００を介してＷｅｂページ配信装置１０４などから特定のＷｅｂページデータを取得し再生し、モニタ装置２１０へ表示させることもできるようになっている。
【００２７】
視聴端末１０１としては、テレビ本体、ＤＶＤレコーダ、パソコンなど、ネットワークを用いてコンテンツデータおよびＷｅｂページデータの取得や再生を行うことができる電子機器を用いることができる。
【００２８】
コンテンツ配信装置１０２は、視聴端末１０１に対して特定のコンテンツデータを配信する装置である。コンテンツ配信装置１０２としては、ＶＯＤ（Ｖｉｄｅｏ  Ｏｎ  Ｄｅｍａｎｄ）サーバ、ダウンロードサーバなど、ネットワークを用いてコンテンツデータを配信する電子機器を用いることができる。
【００２９】
再生情報配信装置１０３は、視聴端末１０１に対してプレイリストを配信する装置である。そのプレイリストには、コンテンツデータを一意に示す情報とＷｅｂページデータを一意に示す情報が、再生順序に沿って再生時間と共に記述されている。コンテンツデータを一意に示す情報としては、番組ＩＤ、映画シリアルナンバーなど、Ｗｅｂページデータを一意に示す情報としてはネットワーク上の所在地を示すＵＲＬなどがある。
【００３０】
図２はそのプレイリストの一例である。映画シリアルナンバー１００−１〜１００−４（１時間の映画を４分割したもの）と、Ｗｅｂページ広告１，２，３のＵＲＬが３種類記載されている。またそれぞれの再生時間も右の欄に記入されている。
【００３１】
再生情報配信装置１０３は、ＶＯＤサーバ、ダウンロードサーバなど、ネットワークを用いてコンテンツデータを配信する電子機器を用いることができ、上述したコンテンツ配信装置１０２と同一機器で兼用してもかまわない。
【００３２】
Ｗｅｂページ配信装置１０４は、視聴端末１０１に対して特定のＷｅｂページデータを配信する装置であって、たとえば一般に公開されているパソコン向けのＷｅｂページデータを配信するＷｅｂサーバである。Ｗｅｂページ配信装置１０４としては、Ｗｅｂサーバなどの一般的なＷｅｂページデータを配信することができる電子機器を用いることができる。
【００３３】
通信網１００は、視聴端末１０１とコンテンツ配信装置１０２と再生情報配信装置１０３とＷｅｂページ配信装置１０４の間で、データの送受信を可能とするものであれば、どのようなネットワークであってもよい。例えば、ＩＰプロトコル等を用いた無線または有線のネットワークであってもよい。
【００３４】
図３は、本実施の形態における視聴端末１０１の一構成例を示すブロック図である。
【００３５】
図３において、視聴端末１０１は、コンテンツデータの取得とデコードを行うデコーダ部２０１、プレイリストの取得と再生制御を行う再生制御部２０２、Ｗｅｂページデータの取得と、レンダリングの指示を行うＷｅｂ取得部２０４、取得したＷｅｂページデータの解析を行い、表示部分と表示の優先順位を決定する表示部分決定部２０５、Ｗｅｂページデータの描画範囲を制御する描画制御部２０６、Ｗｅｂページデータをレンダリング（rendering）するレンダリング部２０８、表示切り替えを行うマルチプレクサである、ｍｕｘ（切り替え部）２０７、ネットワーク通信を行うネットワークＩＦ２０９で構成されている。
【００３６】
この視聴端末１０１は、視聴端末１０１の出力する画像情報を表示するモニタ装置２１０と、コンテンツデータを配信するコンテンツ配信装置１０２と、プレイリストを配信する再生情報配信装置１０３と、Ｗｅｂページデータを配信するＷｅｂページ配信装置１０４とにそれぞれ接続されている。
【００３７】
なお、図３では省略しているが、視聴端末１０１とコンテンツ配信装置１０２と再生情報配信装置１０３とＷｅｂページ配信装置１０４は、図１と同様に通信網で接続されている。
【００３８】
再生制御部２０２は、ネットワークＩＦ２０９を介し、再生情報配信装置１０３からプレイリストを受信する制御部である。プレイリストには、上述したようにコンテンツデータを一意に示す情報とＷｅｂページデータを一意に示す情報が、再生順序に沿って再生時間と共に記述されている。
【００３９】
再生制御部２０２は、受信したプレイリストの再生順序を読み取り、再生順序の番がコンテンツデータであった場合、デコーダ部２０１に対してコンテンツデータを一意に示す情報を渡し、その受信指示とデコード開始の要求を行い、一方Ｗｅｂ取得部２０４に対してレンダリング停止の要求を行う。さらにｍｕｘ２０７に対して、コンテンツデータ選択を要求する。
【００４０】
また、プレイリストの再生順序の番がＷｅｂページデータであった場合、Ｗｅｂ取得部２０４に対してＷｅｂページデータを一意に示す情報を送信するとともに、レンダリング開始の要求を行う。さらに、デコーダ部２０１に対してデコード停止の要求をするとともに、ｍｕｘ２０７に対して、Ｗｅｂページデータ選択を要求する。
【００４１】
デコーダ部２０１は、再生制御部２０２からコンテンツデータを一意に示す情報を受け取ると、ネットワークＩＦ２０９を介し、コンテンツ配信装置１０２に対してそのコンテンツデータを一意に示す情報を送信し、コンテンツデータを受け取るユニットである。デコーダ部２０１は、コンテンツ配信装置１０２から受け取ったコンテンツデータのコーデックに合わせてデコードを開始し、デコード結果をｍｕｘ２０７を介して、モニタ装置２１０へ送る。
【００４２】
Ｗｅｂ取得部２０４は、再生制御部２０２からＷｅｂページデータを一意に示す情報を受け取ると、ネットワークＩＦ２０９を介してＷｅｂページ配信装置１０４に対して該当するＷｅｂページデータの取得要求を行うユニットである。Ｗｅｂ取得部２０４は、Ｗｅｂページ配信装置１０４から該当するＷｅｂページデータを受信した場合、表示部分決定部２０５およびレンダリング部２０８に対して、Ｗｅｂページデータの転送を行う。
【００４３】
また、再生制御部２０２からレンダリング開始の要求を受けた場合、レンダリング部２０８に対してレンダリング開始の指示を行い、レンダリング停止の要求を受けた場合、レンダリング部２０８に対してレンダリング停止の指示を行う。
【００４４】
表示部分決定部２０５は、Ｗｅｂ取得部２０４からＷｅｂページデータを受け取ると、Ｗｅｂページデータの中から、あらかじめ決められている基準に基づき、複数個の表示すべき部分を決定し、と同時に、それらの複数個の表示部分の表示の優先順位も、あらかじめ決められた基準に基づいて決定するユニットである。さらに、後述するように、その表示部分の表示位置を静的に表示する時間や、それらの表示部分の遷移を行うスクロールについても決定する。これら決定された情報を描画制御部２０６に通知する。
【００４５】
なおここで、表示部分の表示位置を静的に表示するとは、表示部分の位置を止めている場合を意味し、その位置を止めた状態で表示されている画像の内容を変化させることはかまわない。
【００４６】
その基準としては、例えばＷｅｂページデータに記載されている、見出しタグや強調タグで囲まれた文字列に関して、そのタグの種類を利用して、表示部分の決定や、表示の優先順位を決定する。
【００４７】
描画制御部２０６は、表示部分決定部２０５が決定した表示部分などの情報を受け取ると、それに基づき、レンダリング部２０８で処理可能なデータに変換し、Ｗｅｂページ操作情報としてレンダリング部２０８へ送信する。
【００４８】
レンダリング部２０８は、Ｗｅｂ取得部２０４からＷｅｂページデータを受け取り、レンダリングを行うユニットである。レンダリング部２０８は、Ｗｅｂ取得部２０４からレンダリング開始の要求を受けるとＷｅｂページデータの表示形式に従いレンダリングを開始し、描画した結果をｍｕｘ２０７を介してモニタ装置２１０へ送る。同時に、描画制御部２０６からＷｅｂページ操作情報を受け取ると、このＷｅｂページ操作情報に従い、モニタ装置２１０への表示座標および表示範囲をその表示時間に応じて変更する。Ｗｅｂ取得部２０４からレンダリング停止の要求を受けた場合、Ｗｅｂページデータの描画を停止する。
【００４９】
レンダリング部２０８は、Ｗｅｂページ操作情報を再生するプラグインを組み込まれたＷｅｂブラウザで実現されるが、一般的なＷｅｂブラウザとブラウザを操作する装置との組み合わせでもよい。
【００５０】
ｍｕｘ２０７は、デコーダ部２０１からデコードされたコンテンツデータの映像信号が与えられ、また、レンダリング部２０８から描画されたＷｅｂページデータの映像信号が与えられる切り替え部である。ｍｕｘ２０７は、コンテンツデータ選択の要求があった場合、デコーダ部２０１から入力されている映像信号をモニタ装置２１０へ出力する。Ｗｅｂページデータ選択の要求があった場合、レンダリング部２０８から入力されている映像信号をモニタ装置２１０へ出力する。
【００５１】
ネットワークＩＦ２０９は、通信依頼を受け取るとコンテンツ配信装置１０２または再生情報配信装置１０３またはＷｅｂページ配信装置１０４に対して要求やデータの送受信を行うインターフェースである。ネットワークＩＦ２０９は、モデムやネットワークカードなどの送受信を行うためのデバイスを含んでもよく、あるいは含まなくてもよい。また、ネットワークＩＦ２０９は、ハードウェアによって実現されてもよく、あるいは送受信デバイスを駆動するドライバ等のソフトウェアによって実現されてもよい。送受信は、ＬＡＮ等の通信手段、赤外線による通信、ブルートゥース（登録商標）等の近距離無線通信手段、或いは電子メール送信手段等により実現される。
【００５２】
モニタ装置２１０は、視聴端末１０１からの映像出力を表示する電子機器である。
【００５３】
次に、本発明の実施の形態の動作について、図４のフローチャートを用いて説明する。
【００５４】
再生情報配信装置１０３はプレイリストを視聴端末１０１へ配信する。プレイリストとしては、たとえば図２で示すような、６０分映画をそれぞれ１５分毎に４分割し（シリアルｎｏ.１００-１，表示Ｎｏ．１００−２，表示Ｎｏ．１００−３，表示Ｎｏ．１００−４）、その間に広告１（http://www.aa....aa.co.jp/），広告２（http://www.bb....bb.co.jp），広告３（http://www.cc....cc.co.jp/）を、スクロール時間を含めて１５秒づつ挿入するものとする。
【００５５】
（ステップＳ３０１）再生制御部２０２は、再生情報配信装置１０３からプレイリストを取得し、ステップＳ３０２へ進む。
【００５６】
（ステップＳ３０２）再生制御部２０２は、プレイリストを読み込む。表示する項目内容がコンテンツデータであった場合、デコーダ部２０１へコンテンツデータを一意に示す情報を送信し、ステップＳ３０３へ進む。
【００５７】
図２の例では、映画の最初の１／４の部分のコンテンツデータを一意に示す情報（Ｎｏ．１００−１）を送信する。
【００５８】
（ステップＳ３０３）デコーダ部２０１は、コンテンツデータを一意に示す情報を用い、コンテンツ配信装置１０２よりコンテンツデータを受信し、ステップＳ３０４へ進む。
【００５９】
（ステップＳ３０４）デコーダ部２０１は、受信したコンテンツデータをデコードし、ｍｕｘ２０７を介してモニタ装置２１０に表示を行い、ステップＳ３０２へ戻る。
【００６０】
これによって映画の最初の１／４の部分の表示が終了する。
【００６１】
次に図２の例の場合、プレイリストによると、映画の最初の１／４の部分の後には、広告１が順番として規定されているので、表示する項目内容がＷｅｂページデータであることになり、再生制御部２０２はＷｅｂ取得部２０４にＷｅｂページデータを一意に示す情報（http://www.aa....aa.co.jp/）を送信し、ステップＳ３０５へ進む。
【００６２】
（ステップＳ３０５）Ｗｅｂ取得部２０４は、受信したＷｅｂページデータを一意に示す情報を用い、Ｗｅｂページ配信装置１０４よりＷｅｂページデータを受信し、表示部分決定部２０５およびレンダリング部２０８にＷｅｂページデータを送信し、ステップ３０６へ進む。
【００６３】
（ステップＳ３０６）表示部分決定部２０５は、後述するようにして、Ｗｅｂページデータの中から、あらかじめ決められた基準にもとづき、表示すべき部分を複数個決定し、また、その表示の優先順位並びに表示時間、さらにはスクロールの詳細などを決定し、ステップＳ３０７へ進む。
【００６４】
（ステップＳ３０７）描画制御部２０６は、送られてきた表示部分などの決定情報に基づいて、Ｗｅｂ操作情報を生成する。そしてそれをレンダリング部２０８へ送信し、ステップＳ３０８へ進む。
【００６５】
（ステップＳ３０８）レンダリング部２０８は、Ｗｅｂページデータのレンダリングを行う。Ｗｅｂページ操作情報の再生順序に従い、ｍｕｘ２０７を介してモニタ装置２１０において表示部分の描画と、表示部分間のスクロール表示を行う。Ｗｅｂページデータの表示すべき全ての表示部分について終了した後は、ステップＳ３０２に戻る。
【００６６】
次に、広告１が終了したので、映画の次の１／４の部分のコンテンツデータ（Ｎｏ．１００−２）について、同様の再生表示が行われる。
【００６７】
そのコンテンツデータ（Ｎｏ．１００−２）の再生が終了すると、次の広告２について、同様のレンダリングが実行され、モニタ装置２１０に表示される。
【００６８】
以後、プレイリストの順番指定どおり、映画の３／４のコンテンツデータ（Ｎｏ．１００−３）、広告３そして最後の映画の４／４の部分のコンテンツデータ（Ｎｏ．１００−４）の再生が終了して、プレイリストの終了となる。
【００６９】
次に、上記表示部分決定部２０５が実施する上述したＷｅｂページデータについての表示部分の決定などの処理を中心に、より詳しく説明する。なお、本実施の形態では、あらかじめ決められた基準とは、ＨＴＭＬ言語におけるタグの種類を利用した基準である。
【００７０】
図５は、本発明の実施の形態におけるＷｅｂページデータのＨＴＭＬソース例である。
【００７１】
図６は、図５のＨＴＭＬソースをブラウザ表示した図である。なお、図５の内容は簡略に表示しており、図６の正確に対応はしていない。
【００７２】
図７、図８、図９は、本発明の実施の形態における、タグの種類を利用して表示部分や優先順位などを決定する例を示す図である。ここで、図７に示すように、開始タグ「<h1>」と対応する終了タグ「</h1>」で囲まれた文字列もしくは図形に対して重み「１」を割り当てることとする。開始タグ「<h2>」と対応する終了タグ「</h2>」で囲まれた文字列もしくは図形に対して重み「２」を割り当てる。他の開始タグおよび終了タグの組み合わせにおいても対応した重みを設定する。重要度の重みは、図７の例では値が小さいほど重要（優先順位が高い）であることを示すが、すべて同じ重みを設定してもよいし、異なっていてもよい。
【００７３】
たとえば、開始タグ「<h1>」に対応した重みと開始タグ「<b>」に対応した重みが共に「１」であってもかまわない。また、重要度の割り振り対象として挙げられていない文字列に関しては、重要度を割り振らないものとする。
【００７４】
このように、タグの種類に対してあらかじめ重要度の順位を設定しておく。また、重要度の順位に対応して、あらかじめその静的な表示時間も設定しておく。例えば、重み１のタグについては、３秒、重み２については２秒などである。
【００７５】
図８は、図５に示すＷｅｂページデータのＨＴＭＬソースに対して、上述したタグの種類に着目して、図７の重要度割り振りの仕方を当てはめた結果を示す図である。
【００７６】
図９は、重要度の割り振りを行った部分のうち、重みの高い順に一定個数（図９の例では４個）を抽出し表示する部分として決定した結果を示す。ここでその個数は、広告１，２，３を表示する時間はそれぞれ１５秒と決められているので、スクロールする時間を２秒と設定すると、３回のスクロールで合計６秒掛り、残る９秒の中で、重みの高い方から表示部分として決定するとすると、重要度１，２の、一つの「<h1>」、三つの「<h2>」で、９秒となり、重要度７の「新製品」ははみ出る。従って、図９に示す４個ということになる。本例では「○○商店」、「おすすめ」、「商品一覧」、「サポート」を表示すべき部分となる。なお、図９の表示座標は表示すべき各部分のそのＷｅｂページデータ上の座標の位置を示す例であるが、簡略化しており、図６や図１０の例と正確に一致してはいない。
【００７７】
さらに、このようにして決定された４個の表示部分について、その表示する順番（表示の優先順位）については、この実施の形態では、それも上記重みを利用して決めている。すなわち、重要度の高い順番に表示をすることにしている。なお重みが同一の場合はそれらの表示部分のＷｅｂページデータ上の座標の位置に基づき、例えば最初は最も重みの高い表示部分を表示し、次からはその表示部分に近い位置の表示部分から順に表示させるなどがある。また、図９の最右欄の移動時間とは各表示部分を上から順にスクロール表示させるときの移動時間を示す。
【００７８】
図１０（ａ）、（ｂ）、（ｃ）、（ｄ）はＷｅｂページデータに対して上述したスクロール表示を行わせるときの流れを示す図である。４００はＷｅｂページデータを示し、５００はモニタ装置２１０の画面の枠を示す。（ａ）は表示部分Ｃ０１を表示するときを示し、（ｂ）は表示部分Ｃ０２を表示するときを示している。矢印に示すように表示部分Ｃ０１から表示部分Ｃ０２にスクロール表示させる。以後（ｃ）では表示部分Ｃ０３を、（ｄ）では表示部分Ｃ０４を表示させている。この表示部分Ｃ０１、Ｃ０２、Ｃ０３、Ｃ０４はそれぞれ上述した「○○商店」、「おすすめ」、「商品一覧」、「サポート」に対応するが、おおよそのスクロールのイメージを示すもので、厳密に図６〜図９に対応するものでは無い。
【００７９】
なお、上述した表示時間などは最適設計のため変更可能である。例えば、表示部分の表示位置を静止させた状態での表示時間は、重みに対応した値であったが、固定値でもよく、あるいは例えば、表示部分の文字数の量に応じて、表示時間をその都度変更してもよい。
【００８０】
なおまた、上述した実施の形態において、例えば開始タグ「<h1>」と対応する終了タグ「</h1>」で囲まれた文字列もしくは図形が、モニタ装置２１０の画面の枠内に収まらない程大きいときは、その表示部分を２つに分割し、新たな表示部分の候補として演算しなおし、優先度の高い部分から４個選ぶことで対処することも可能である。
【００８１】
以上の実施の形態により、特別な設定が行われていない一般的なＷｅｂページデータにおいても、タグの種類を利用して、その重要部分を抽出し、表示部分を決定するとともに、その表示の優先順位をつけ、一定の時間内に重要度の高い部分全体を表示するためのＷｅｂページ操作情報を生成することができる。
【００８２】
描画制御部２０６は、このようにして作成したＷｅｂページ操作情報を、レンダリング部２０８へ送信する。
【００８３】
このＷｅｂページ操作情報を用いることで、Ｗｅｂページデータの表示を操作し、表示位置での静止やスクロールを行うことができる。
【００８４】
このように、本実施の形態によれば、視聴端末１０１は再生情報配信装置１０３からプレイリストを受け取ると、再生制御部２０２によりコンテンツデータの再生かＷｅｂページデータの描画かを判断し、コンテンツデータの再生の時には、プレイリストからコンテンツデータを一意に示す情報を抽出し、デコーダ部２０１がこの情報に応じてコンテンツデータの取得とデコードを行うことでモニタ装置２１０に該当するコンテンツデータを再生することができる。
【００８５】
また、Ｗｅｂページデータの再生の時には、プレイリストからＷｅｂページデータを一意に示す情報を抽出し、Ｗｅｂ取得部２０４がこの情報に応じてＷｅｂページデータを取得し、特別な設定が行われていない一般的なＷｅｂページデータにおいても、優先順位の高い重要度の高い部分全体を表示することができる。
【００８６】
なお、本発明におけるあらかじめ決められた基準としては、上述したタグの種類を利用した例の他に、再生されるコンテンツのデータの内容を利用して、表示部分を決定してもよい。例えば、映画の内容がプロ野球の映画であれば、あらかじめ優先順位付きで用意している、「ホームラン」、「逆転」、「三振」などプロ野球関係のキーワードを取り出し、Ｗｅｂページデータの中からそれらのキーワードのある部分を特定し、優先順位に従って、それらのキーワードの存在する周辺の部分を表示部分として複数個優先順位付で決定する。
【００８７】
また他に、あらかじめ決められた基準としては、格納されている視聴者のプロファイルを利用して表示部分を決定してもよい。例えば、あらかじめ視聴者が自ら視聴端末の表示部分決定部に自らのプロファイル（優先順位付で男、年齢、趣味など）を記憶させておき、一方、Ｗｅｂページに対して提供側がＷｅｂページデータのそれぞれの表示部分にメタ情報（男性用、１０代用、スポーツ分野など）を付加して送信することによって、表示部分決定部はそれらを付き合わせて、いくつかの表示部分を優先順位付で決定することが出来る。
【００８８】
また他に、あらかじめ決められた基準としては、視聴端末で過去に再生されたコンテンツデータの履歴を格納しておき、それを利用して前記表示部分を決定することも可能である。例えば、ある視聴端末では、登山に関するコンテンツデータ（コンテンツデータには通常その内容に関するメタ情報が付加されている）が多く視聴されている場合、その履歴を記憶しておく。そこで、Ｗｅｂページデータが配信されてきたとき、その「登山」というキーワードと同じ文字列あるいは関連する文字列のある部分を複数個優先順位付で表示部分と決定する（その関連する文字列、例えばピッケル、アルプスなどのキーワードもあらかじめ決めておく）。
【００８９】
また、あらかじめ決められた基準としては、Ｗｅｂページデータの最上位置の部分と最下位置の部分を表示する部分と決定するなどのように、複数個の表示部分をＷｅｂページデータの位置で決定し、その表示の優先順位も最上位置の部分から最下位置部分へスクロール表示するなどとしてもよい。
【００９０】
なおまた、このようなあらかじめ決められた基準は、視聴端末にあらかじめ組み込まれている以外に、その都度他のサーバから取り込むことも可能である。
【００９１】
また、本発明のＷｅｂページは、上記実施の形態では広告ページとして説明したが、これに限られず、通常の内容のＷｅｂページでも勿論かまわない。
【００９２】
なお、本発明のプログラムは、上述した本発明の視聴端末の、全部又は一部の手段の機能をコンピュータにより実行させるためのプログラムであって、コンピュータと協働して動作するプログラムである。
【００９３】
また、本発明の記録媒体は、上述した本発明の視聴端末の、全部又は一部の手段の機能をコンピュータにより実行させるためのプログラムを記録した記録媒体であり、コンピュータにより読み取り可能且つ、読み取られた前記プログラムが前記コンピュータと協動して前記機能を実行する記録媒体である。
【００９４】
なお、本発明の上記一部の手段とは、それらの複数の手段の内の、一つ又は幾つかの手段を意味する。
【００９５】
また、本発明の上記手段の機能とは、前記手段の全部又は一部の機能を意味する。 
【００９６】
また、本発明のプログラムの一利用形態は、コンピュータにより読み取り可能な、ＲＯＭ等の記録媒体に記録され、コンピュータと協働して動作する態様であっても良い。
【００９７】
また、本発明のプログラムの一利用形態は、インターネット等の伝送媒体、光・電波・音波等の伝送媒体中を伝送し、コンピュータにより読みとられ、コンピュータと協働して動作する態様であっても良い。
【００９８】
また、上述した本発明のコンピュータは、ＣＰＵ等の純然たるハードウェアに限らず、ファームウェアや、ＯＳ、更に周辺機器を含むものであっても良い。
【００９９】
また、以上説明した様に、本発明の構成は、ソフトウェア的に実現しても良いし、ハードウェア的に実現しても良い。
【産業上の利用可能性】
【０１００】
本発明にかかるＷｅｂページの画面を例えば番組広告として表示するシステムでは、Ｗｅｂページデータ中の重要な項目を自動的にスクロールしながら順次表示することで、画面サイズからくる表示範囲を気にすることなく、パソコン向けに作成された一般的なＷｅｂページデータでもＷｅｂページデータ内の有用な情報を表示することが可能になるので、ネットワークを介して所定のＷｅｂページデータを広告として自動的に見せるシステムとして有用である。
【図面の簡単な説明】
【０１０１】
【図１】本発明の実施の形態における全体構成を示すブロック図
【図２】本発明の実施の形態におけるプレイリストを示す図
【図３】本発明の実施の形態における視聴端末の内部構成を示すブロック図
【図４】本発明の実施の形態における動作を示すフローチャート
【図５】本発明の実施の形態におけるＷｅｂページデータ例を示す図
【図６】本発明の実施の形態におけるブラウザ表示した図
【図７】本発明の実施の形態における重要度の割り振り例を示す図
【図８】本発明の実施の形態における重要度の割り振り結果例を示す図
【図９】本発明の実施の形態におけるＷｅｂページ操作情報の例を示す図
【図１０】本発明の実施の形態におけるＷｅｂページに対するモニタ画面でのスクロール状態を示す模式図
【図１１】一般のブラウザ表示図
【符号の説明】
【０１０２】
１００  通信網
１０１  視聴端末
１０２  コンテンツ配信装置
１０３  再生情報配信装置
１０４  Ｗｅｂページ配信装置
２０１  デコーダ部
２０２  再生制御部
２０４  Ｗｅｂ取得部
２０５  表示部分決定部
２０６  描画制御部
２０７  ｍｕｘ
２０８  レンダリング部
２０９  ネットワークインターフェース
２１０  モニタ装置
【図１】
2008225783.tif 000003
【図２】
2008225783.tif 000004
【図３】
2008225783.tif 000005
【図４】
2008225783.tif 000006
【図５】
2008225783.tif 000007
【図６】
2008225783.tif 000008
【図７】
2008225783.tif 000009
【図８】
2008225783.tif 000010
【図９】
2008225783.tif 000011
【図１０】
2008225783.tif 000012
【図１１】
2008225783.tif 000013